(57)【要約】      （修正有）【課題】家庭用循環温浴器で循環使用する浴湯中の皮脂、老廃有機物等を濾過して除去することと浴湯中の菌類を滅菌して無菌状態を維持する浴湯浄化装置及び併用する浴湯濾過フィルターを提供する。【解決手段】浴湯浄化装置はミネラル液タンク２と、銀イオン液タンク３と、ミネラル液用小型ポンプ６と、銀イオン液用小型ポンプ７と、ミネラル液用小型ポンプ６及び銀イオン液用小型ポンプ７の運転を制御する設定操作スイッチ１３を備えた制御基盤１１とが機器一式収納ボックス１４に収納されており、機器一式収納ボックス１４の底部にミネラル液滴入口１６と銀イオン液滴入口１７が取り付けられており、ミネラル液タンク２とミネラル液滴入口１６がミネラル液用小型ポンプ６を経由してミネラル液用チューブ９で接続され、銀イオン液タンク３と銀イオン液滴入口１７が銀イオン液用小型ポンプ７を経由して銀イオン液用チューブ１０で接続されている。【選択図】図２
0003213031.tif 000002
【実用新案登録請求の範囲】
【請求項１】
風呂の浴湯にミネラル液と銀イオン液を滴入して浴湯を浄化・殺菌するための浴湯浄化装置であって、
ミネラル液タンク（２）と、銀イオン液タンク（３）と、ミネラル液用小型ポンプ（６）と、銀イオン液用小型ポンプ（７）と、ミネラル液用小型ポンプ（６）及び銀イオン液用小型ポンプ（７）の稼働を制御する設定操作スイッチ（１３）を備えた制御基盤（１１）と乾電池装填ボックス（４０）が機器一式収納ボックス（１４）に収納されており、機器一式収納ボックス（１４）の底部にミネラル液滴入口（１６）と銀イオン液滴入口（１７）が取り付けられており、ミネラル液タンク（２）のミネラル液流出口（４）とミネラル液滴入口（１６）がミネラル液用小型ポンプ（６）を経由してミネラル液用チューブ（９）で接続され、銀イオン液タンク（３）の銀イオン液流出口（５）と銀イオン液滴入口（１７）が銀イオン液用小型ポンプ（７）を経由して銀イオン液用チューブ（１０）で接続されていることを特徴とする浴湯浄化装置。
【請求項２】
制御基盤（１１）は、ミネラル液と銀イオン液を１日〜３０日の間で日数の間隔をあけて定量を交互に滴入するようにミネラル液用小型ポンプ（６）及び銀イオン液用小型ポンプ（７）の稼働を制御する請求項１に記載の浴湯浄化装置。
【請求項３】
家庭用循環温浴器（１９）の濾過タンクケース（３７）内にある濾材に換えて用いることが可能な浴湯濾過フィルターであって、前記家庭用循環温浴器（１９）は請求項１または請求項２に記載の浴湯浄化装置と併用して用いられるものであり、前記家庭用循環温浴器（１９）のメーカーと機種によって異なる濾過タンクケース（３７）の深さに全対応させるために、浴湯濾過フィルターを挿入する濾過タンクケース（３７）の深さに対応させて浴湯の濾過不良が起こらないように厚さの異なる弾力性のある数種類のパッキン（３２，３３，３４）をその頂部に乗せて使用する浴湯濾過フィルター。
【考案の詳細な説明】
【技術分野】
【０００１】
本考案は、家庭用循環温浴器で循環使用する浴湯中の皮脂、老廃有機物等を濾過して除去することと浴湯中の菌類を滅菌して無菌状態を維持する浴湯浄化装置及びこれと併用して効果を発揮する浴湯濾過フィルターに関するものである。
【背景技術】
【０００２】
市販の家庭用循環温浴器を利用している浴湯中には浄化方法に起因する処理不能な濁りと処理不能な菌類が存在する。また、一般家庭の浴湯に増殖する菌類や皮脂、老廃有機物の腐敗による悪臭を厭わず数日間も沸かし直して使用している節約志向者の不衛生な現状がある。
【先行技術文献】
【特許文献】
【０００３】
【特許文献１】特開２０００−１７５８３３号公報
【考案の概要】
【考案が解決しようとする課題】
【０００４】
市販の家庭用循環温浴器の機能は、浴槽の浴湯を吸出水ユニットから機器内に吸入して濾過浄化した後に適温に加温して再び吸出水ユニットから浴槽に戻す循環流で２４時間いつでも入浴できる状態を維持する利便性にあり、現在広く普及しており約１７７万台が使用されていると２４時間風呂協議会が公表している。しかし、浴湯の濾過浄化の方式の殆どは濾過タンクの中に充填した多孔質濾材に棲みついた有機物分解バクテリアに老廃有機物を分解させるバクテリア浄化の方式であり、浴湯中のレジオネラ属菌や大腸菌、一般生菌との共存を避けることはできず、浴湯中で菌類が残存増殖する欠点を克服できないこと、及び濁りのもとである溶融物の除去ができないことで透明度が低い欠点を解決できないことが課題である。また、家庭用循環温浴器を使用していない一般の風呂において、節約のために数日にわたって同じ浴湯を沸かし直して入浴する人々がいるが、一晩に増殖する菌類は天文学的な数になりバイオフィルムのヌメリや皮脂、老廃有機物の腐敗による悪臭が発生し、入浴者の免疫力を超えるかもしれない不衛生な現状も見過ごせない課題である。
【課題を解決するための手段】
【０００５】
本考案では有機物分解バクテリアによる浴湯の浄化をしている既存の家庭用循環温浴器の浄化方式を廃して、ミネラル液と銀イオン液を充填したそれぞれのタンクから自動で間隔をあけてそれぞれの液の定量を浴湯中に滴入する機能をもつ浴湯浄化装置と、これにセットで併用する浴湯濾過フィルターを市販の家庭用循環温浴器の濾過タンクケース内に簡単に挿入したり取り出したりができるようにして、付着した濾過残滓を簡単に洗浄できるようにした。また、家庭用循環温浴器を使用していない一般家庭の風呂で浴湯を数回にわたって沸かし直して菌類が大増殖した不衛生な入浴をしていることへの対策として、ミネラル液の分解凝集性と銀イオン液の滅菌作用を活用して、数日間を透明度の高い無菌の浴湯に維持することができる浴湯浄化装置である。
【考案の効果】
【０００６】
本考案によれば、入浴する人体から出て浴湯の中に混在溶融する菌類、皮脂、老廃有機物の濁り物質を分解して凝集するミネラルの特性によって生じる凝集塊を、浴湯浄化装置と併用する浴湯濾過フィルターで濾過して濁りのない透明度の高い浴湯を作り出すことができる。さらに、多種類の市販家庭用循環温浴器の濾過タンクケースへの浴湯濾過フィルターの容易な出し入れで、濾過残滓が菌類の温床になるまでに浴湯濾過フィルターを洗浄して菌類の活着を防いで増殖を阻止し、レジオネラ属菌類、大腸菌、一般生菌類の総量を極少に抑制することにより少量の銀イオン液で滅菌できる結果となり、浴湯の随時検査における菌類の不検出を実現することができる。また家庭用循環温浴器を使用していない一般の風呂において浴湯浄化装置を単独で使用する場合は、ミネラル液の働きで生じた皮脂、老廃有機物の凝集塊が浴槽の底に沈殿するので、それを浴槽外に吸い出して除去すれば数日にわたって浴湯を問題なく使用することができる。
【０００７】
本考案の浴湯浄化装置が浴槽内に適入するミネラル液は２９種類超のミネラル群を含有して温泉質な浴湯をつくり出すから、家庭用循環温浴器を利用している家庭も利用していない一般家庭のお風呂でも温泉のようなお湯を活用して健康の維持増進に役立てるものである。
【図面の簡単な説明】
【０００８】
【図１】本考案の浴湯浄化装置及びこれと併用する浴湯濾過フィルターを家庭用循環温浴器に実施する全体図である。
【図２】本考案の浴湯浄化装置の内部構造図であり、（A）は前面側内部図，（B）は背面側内部図，（C）は（B）におけるD−D線断面図である。
【図３】本考案の浴湯浄化装置と併用する浴湯濾過フィルターの形態図である。
【図４】本考案の浴湯濾過フィルターを装填した濾過タンク図である。
【考案を実施するための形態】
【０００９】
本考案の浴湯浄化装置を機器一式収納ボックスに収納して浴室の壁面等に機器一式収納ボックス固定バンドで取付ける。また、家庭用循環温浴器を使用していない家庭の浴槽では、この浴湯浄化装置を壁面等の最適な位置に機器一式収納ボックス固定バンドで取り付けて使用する。
【００１０】
機器一式収納ボックスの底部に突出したミネラル液滴入口にミネラル液用チューブを差し込み、同じく銀イオン液滴入口に銀イオン液滴入チューブを差し込んで２本の液用チューブを浴槽にまで導引して適位置に固定する。
【実施例】
【００１１】
以下、図面に従って実施例を説明する。図１は、本考案の浴湯浄化装置１及びこれと併用する浴湯濾過フィルター３１を家庭用循環温浴器１９に実施する全体図である。
【００１２】
家庭の風呂に普及している家庭用循環温浴器１９の濾過タンクケース３７内の濾過材に換えて浴湯濾過フィルター３１を挿入して使用する。
【００１３】
浴湯浄化装置１を収納した機器一式収納ボックス１４を浴室壁面の最も適した位置に機器一式収納ボックス固定バンド１５で取付ける。
【００１４】
機器一式収納ボックス１４の底部に突起するミネラル液滴入口１６にミネラル液用チューブ９を差し込み、同様に銀イオン液滴入口１７に銀イオン液用チューブ１０を差し込んで各々の液用チューブを揃えて浴槽２２にまで導き、それぞれの液用チューブの先端からそれぞれの液が浴槽２２内に落ち込む位置に固定する。
【００１５】
浴湯浄化装置１を稼働させる電力は、乾電池装填ケース１８に乾電池を装填して電源とする。
【００１６】
図２は、本考案の浴湯浄化装置１の内部構造図である。図２（Ａ）は浴湯浄化装置１の前面側内部図であり、ミネラル液タンク２と銀イオン液タンク３の間に設定操作スイッチ１３を備えた制御基盤１１を収納した制御基盤収納ボックス１２を設ける。設定操作スイッチ１３を操作することにより、制御基盤１１は所定の間隔をあけて交互にミネラル液用小型ポンプ６と銀イオン液用小型ポンプ７を稼働させる。これにより、ミネラル液と銀イオン液が混ざらないように、ミネラル液タンク２と銀イオン液タンク３からの液の流出をそれぞれ交互にして浴湯２１に滴入する。さらに、設定操作スイッチ１３の操作により、制御基盤１１がそれぞれの小型ポンプの稼働時間の長短を制御し、それぞれの液の滴入量を決定する。ミネラル液と銀イオン液との関係においては、両液を同時に滴入すると酸性のミネラル液が銀イオン液を酸化させて働きを減滅させるので、ミネラル液用小型ポンプ６と銀イオン液用小型ポンプ７の夫々の稼働日を１日〜３０日の間で日数の間隔をあけて交互に設定し、ミネラル液と銀イオン液の相乗効果で透明度の高い菌類の存在しない浴湯を作り出し、お湯の交換をしなくても衛生的に安全でかつミネラルを含む温泉質な浴湯の状態を維持することができる。上記設定で稼働するミネラル液用小型ポンプ６はミネラル液を定期に定量を浴湯２１中に滴入し、浴湯２１中の皮脂、汗、老廃有機物等の全有機物に反応させて分解・析出・凝集と変化した結果として浴湯２１の腐敗抑止、脱臭、脱色をする。また、上記設定で稼働する銀イオン液用小型ポンプ７は自動で定期に定量を浴湯２１中に滴入して菌類を滅菌するとともに、入浴によって人体に付着して浴湯２１に持ち込まれる菌類も瞬時に殺菌する。
【００１７】
図２（Ｂ）は浴湯浄化装置１の背面側内部図である。銀イオン液タンク３とミネラル液タンク２の間にミネラル液用小型ポンプ６と銀イオン液用小型ポンプ７を取付けた小型ポンプ取付金具８を設置する。
【００１８】
ミネラル液タンク２の底部にあるミネラル液流出口４の突起にミネラル液用チューブ９を差し込みミネラル液用小型ポンプ６に接続してから機器一式収納ボックス１４の底部にあるミネラル液滴入口１６に差し込んで連結する。同様に銀イオン液タンク３の底部にある銀イオン液流出口５の突起に銀イオン液用チューブ１０を差し込み銀イオン液用小型ポンプ７に接続してから機器一式収納ボックス１４の底部にある銀イオン液滴入口１７に連結する。
【００１９】
図２（Ｃ）は、前面部に制御基盤収納ボックス１２を、背面部に小型ポンプ取付金具８及びポンプ駆動電源の乾電池を装填する乾電池装填ケース１８を設置した浴湯浄化装置１の図２（Ｂ）のＤ−Ｄ線断面図である。
【００２０】
図３は本考案の浴湯浄化装置１と併用する浴湯濾過フィルター３１の形態図である。家庭用循環温浴器１９の濾過タンクケース３７の深さはメーカーや機種で異なるから濾過浄化前の浴湯２１が浴湯濾過フィルター３１を透過するときに上部から漏洩通過しないように厚さの異なる薄パッキン３２、中パッキン３３、厚パッキン３４を深さに合わせて浴湯濾過フィルター３１の頂部に乗せることで対応できるようにした。
【００２１】
図４は、本考案の浴湯濾過フィルター３１を装填した濾過タンク図である。家庭用循環温浴器１９の濾過タンクケース３７内のすべての濾過材を取り出した後に底部パッキン  ３５を定着した浴湯濾過フィルター３１を挿入して濾過タンクケース３７の深さに応じたパッキン３２、３３、３４を浴湯濾過フィルター３１の頂部に乗せ、濾過タンク蓋３６をしっかりと閉めて家庭用循環温浴器１９を稼働させると濾過タンク流入口３８から凝集塊を含んだ浴湯が濾過タンクケース３７内に流入してほぼ１００％が浴湯濾過フィルター  ３１を透過して濾過浄化され濾過タンク流出口３９から流出して浴槽に還流する。
【符号の説明】
【００２２】
１  浴湯浄化装置
２  ミネラル液タンク
３  銀イオン液タンク
４  ミネラル液流出口
５  銀イオン液流出口
６  ミネラル液用小型ポンプ
７  銀イオン液用小型ポンプ
８  小型ポンプ取付金具
９  ミネラル液用チューブ
10  銀イオン液用チューブ
11  制御基盤
12  制御基盤収納ボックス
13  設定操作スイッチ
14  機器一式収納ボックス
15  機器一式収納ボックス固定バンド
16  ミネラル液滴入口
17  銀イオン液滴入口
18  乾電池装填ケース
19  家庭用循環温浴器
20  吸出水ユニット
21  浴湯
22  浴槽
30  フィルター装填濾過タンク
31  浴湯濾過フィルター                                                
32  薄パッキン
33  中パッキン                    
34  厚パッキン
35  底部パッキン
36  濾過タンク蓋
37  濾過タンクケース
38  濾過タンク流入口
39  濾過タンク流出口
【図１】
0003213031.tif 000003
【図２】
0003213031.tif 000004
【図３】
0003213031.tif 000005
【図４】
0003213031.tif 000006